(57)【要約】【課題】動物に強い電気ショックを与えることができる導電装置を提供する。【解決手段】導電装置１は、所定の電圧が印加される電線２と、電線２の周囲に配置された、かつ、所定の圧力以上の圧力が付与された場合に電線２と外部とが連通される、カバー部材３と、カバー部材３を支持する支持部材４とを備える。支持部材４は、支持部材４の位置情報を検出する位置情報検出部５と、位置情報検出部５が検出した支持部材４の位置情報を送信する位置情報送信部６とを有する。【選択図】図１
2014171433.tif 000002
【特許請求の範囲】
【請求項１】
所定の電圧が印加される導電部材と、
該導電部材の周囲に配置され、かつ、所定の圧力以上の圧力が付与された場合に同導電部材と外部とが連通されるカバー部材と、
該カバー部材を支持する支持部材とを備える
導電装置。
【請求項２】
前記支持部材は、位置情報を検出する位置情報検出部と、該位置情報検出部が検出した位置情報を送信する位置情報送信部とを有する
請求項１に記載の導電装置。
【請求項３】
前記導電部材に所定の電圧を印加し、かつ、同導電部材を介して前記位置情報検出部および前記位置情報送信部に所定の電圧を印加する電源部を備え、
前記支持部材は、着脱可能に前記カバー部材に取付けられた
請求項２に記載の導電装置。
【請求項４】
前記カバー部材は、付与されていた所定の圧力以上の圧力が解除された場合に前記導電部材と外部との連通が解除される
請求項１〜３のいずれか１つに記載の導電装置。
【請求項５】
前記カバー部材は、防水性を有する
請求項１〜４のいずれか１つに記載の導電装置。
【請求項６】
前記カバー部材はゴム製である
請求項１〜５のいずれか１つに記載の導電装置。
【請求項７】
所定の電圧が印加される導電部材と、
該導電部材の周囲に配置され、かつ、所定の圧力以上の圧力が付与された場合に同導電部材と外部とが連通されるカバー部材とを備える
導電装置。
【発明の詳細な説明】
【技術分野】
【０００１】
本発明は導電装置に関する。詳しくは、例えば、山林などの未開拓地と、農地や住宅地などの開拓地との境界に設置された柵に沿って配置される導電装置に係るものである。
【背景技術】
【０００２】
山林近くの田畑や果樹園は、イノシシやシカなど野生動物によって農作物を荒らされるという被害を受けやすい。
そこで、このような被害を防止するために、例えば、田畑や果樹園を囲むように電気柵が設けられる。
【０００３】
ここで電気柵は、支柱と、支柱に取付けられた碍子で支えられると共に高電圧が印加された裸電線とを備えたものである。そして、野生動物が裸電線に接触した際に電気ショックによる痛みを与えることができる。
【０００４】
例えば特許文献１には、図５に示すような電気柵が記載されている。
すなわち、特許文献１に記載された電気柵１００は、衝撃電流パルスを発生する電源装置１０１と、支柱１０２と、線材（１０３Ａ、１０３Ｂ）とを備える。
また、線材（１０３Ａ、１０３Ｂ）は、支柱１０２に、碍子１０７を介して上下に間隔をおいて支持されている。
【０００５】
また、線材１０３Ｂは、地面と略同一高さから５ｃｍ間隔で６本架設されている。また、線材１０３Ｂの上部に５ｃｍ距離をおいて線材１０３Ａが架設されている。この線材１０３Ａから１０ｃｍ間隔をおいて線材１０３Ａが２本架設されている。
【０００６】
線材１０３Ｂ同士、線材１０３Ａ同士は、導電性を有する渡り線１０８で接続されている。これにより、各線材１０３Ａは、プラス極１０１Ａに接続されることになり、各線材１０３Ｂは−局１０１Ｂに接続されることになる。
また、全ての線材１０３Ａおよび線材１０３Ｂは、複数箇所で絶縁性を有する縦線１０９で結ばれている。
【先行技術文献】
【特許文献】
【０００７】
【特許文献１】特開２０１０−０５１２７０号公報
【発明の概要】
【発明が解決しようとする課題】
【０００８】
しかしながら、例えばイノシシは、鼻を線材に接触させて、電気ショックを受けるかどうかを確認し、電気ショックを受けることが判ると、線材や支柱に体当たりして電気柵を破壊し、電気柵を越えられてしまう。イノシシの体は毛で覆われているため、体が線材に接触しても電気ショックを受け難いからである。
【０００９】
そこで、イノシシなどの動物を確実にその場で倒すために、動物に強い電気ショックを与えることができる装置が求められていた。
【００１０】
本発明は、以上の点に鑑みて創案されたものであり、動物に強い電気ショックを与えることができる導電装置を提供することを目的とする。
【課題を解決するための手段】
【００１１】
上記の目的を達成するために、本発明の導電装置は、所定の電圧が印加される導電部材と、該導電部材の周囲に配置され、かつ、所定の圧力以上の圧力が付与された場合に同導電部材と外部とが連通されるカバー部材と、該カバー部材を支持する支持部材とを備える。
【００１２】
ここで、所定の電圧が印加される導電部材によって、導電部材に接触した動物に電気ショックを与えることができる。
【００１３】
また、導電部材の周囲に配置され、かつ、所定の圧力以上の圧力が付与された場合に導電部材と外部とが連通されるカバー部材によって、外部から所定の圧力以上の圧力を付与したものを、導電部材に接触させることができる。
なお、本発明で言う「所定の電圧」とは、動物に衝撃を与えることができる高い電圧を意味する。
また、本発明で言う「所定の圧力」とは、動物が物体を噛んだときに、歯が物体に与える圧力を意味する。
【００１４】
また、カバー部材を支持する支持部材によって、導電装置を設置したときにカバー部材を設置面から一定の距離だけ離して配置させることができる。
【００１５】
また、本発明の導電装置において、支持部材は、位置情報を検出する位置情報検出部と、位置情報検出部が検出した位置情報を送信する位置情報送信部とを有するものとすることができる。
【００１６】
この場合、支持部材の位置情報を知ることができる。
【００１７】
また、本発明の導電装置は、導電部材に所定の電圧を印加し、かつ、導電部材を介して位置情報検出部および位置情報送信部に所定の電圧を印加する電源部を備え、支持部材は、着脱可能にカバー部材に取付けられたものとすることができる。
【００１８】
この場合、導電部材を介して位置情報検出部および位置情報送信部に所定の電圧を印加するので、導電部材と、位置情報検出部と、位置情報送信部の電源を共通化することができる。
【００１９】
また、支持部材は、着脱可能にカバー部材に取付けられているので、衝撃を受けたときにカバー部材から外れやすい。
【００２０】
また、本発明の導電装置において、カバー部材は、付与されていた所定の圧力以上の圧力が解除された場合に導電部材と外部との連通が解除されるものとすることができる。
【００２１】
この場合、所定の圧力未満の圧力が付与されたり、まったく圧力が付与されなかったりしたときに、導電部材へ接触し難くすることができる。
【００２２】
また、本発明の導電装置において、カバー部材が防水性を有する場合、カバー部材が雨水で濡れても、導電部材にまで雨水が浸透し難い。
【００２３】
また、本発明の導電装置において、カバー部材がゴム製である場合、ゴムは絶縁性を有するので、カバー部材の表面に触れただけでは電気ショックを受けることはない。
【００２４】
また、上記の目的を達成するために、本発明の導電装置は、所定の電圧が印加される導電部材と、該導電部材の周囲に配置され、かつ、所定の圧力以上の圧力が付与された場合に同導電部材と外部とが連通されるカバー部材とを備える。
【００２５】
ここで、所定の電圧が印加される導電部材によって、導電部材に接触した動物に電気ショックを与えることができる。
【００２６】
また、導電部材の周囲に配置され、かつ、所定の圧力以上の圧力が付与された場合に導電部材と外部とが連通されるカバー部材によって、外部から所定の圧力以上の圧力を付与したものを、導電部材に接触させることができる。
【発明の効果】
【００２７】
本発明に係る導電装置は、動物に強い電気ショックを与えることができる。
【図面の簡単な説明】
【００２８】
【図１】本発明を適用した導電装置の一例を示す概略図である。
【図２】本発明を適用した導電装置の設置の一例を示す概略図である。
【図３】本発明を適用した導電装置にイノシシが近づいた様子の一例を示す概略図である。
【図４】本発明を適用した導電装置にイノシシが噛みついた状態の一例を示す概略図である。
【図５】従来の電気柵を示す概略図である。
【発明を実施するための形態】
【００２９】
以下、本発明の実施の形態について図面を参照しながら説明し、本発明の理解に供する。
図１は、本発明を適用した導電装置の一例を示す概略図である。
【００３０】
図１に示す本発明の導電装置１は、所定の電圧が印加される電線（導電部材の一例である。）２を備える。
【００３１】
また、図１に示す本発明の導電装置１は、電線２の周囲に配置された、かつ、所定の圧力以上の圧力が付与された場合に電線２と外部とが連通される、カバー部材３を備える。
また、カバー部材３は、ゴム製であり、かつ、防水性を有する。
【００３２】
また、カバー部材３は、付与されていた所定の圧力以上の圧力が解除された場合に電線２と外部との連通が解除されるものである。
【００３３】
また、カバー部材３は、複数のカバー部材の集合体である。すなわち、カバー部材３は、第１〜第ｎ（ｎ≧２）のカバー部材の集合体である。なお、図１には、第１のカバー部材３Ａと、第２のカバー部材３Ｂとを示す。
【００３４】
また、第１のカバー部材３Ａは、貫通孔（図示せず。）が形成された円筒形の第１の本体３ＡＡと、第１の本体３ＡＡの一端に取付けられ、かつ、貫通孔（図示せず。）が形成された六面体である第１の連結体３ＡＢとを有する。
また、第１の本体３ＡＡに形成された貫通孔（図示せず。）と、第１の連結体３ＡＢに形成された貫通孔（図示せず。）は、連通している。
【００３５】
また、第２のカバー部材３Ｂも、貫通孔（図示せず。）が形成された円筒形の第２の本体３ＢＡと、第２の本体３ＢＡの一端に取付けられ、かつ、貫通孔（図示せず。）が形成された六面体である第２の連結体３ＢＢとを有する。
また、第２の本体３ＢＡに形成された貫通孔（図示せず。）と、第２の連結体３ＢＢに形成された貫通孔（図示せず。）は、連通している。
【００３６】
また、第１の本体３ＡＡの他端は、第２の連結体３ＢＢの第２の本体３ＢＡが取付けられた側とは反対側に着脱可能に連結されている。
【００３７】
また、このような構成が第ｎのカバー部材まで続く。すなわち、第ｎのカバー部材の第ｎの本体ＮＡの端部は、第１の連結体３ＡＢの第１の本体３ＡＡが取付けられた側とは反対側に着脱可能に連結されている。
【００３８】
その結果、所定領域の周囲にカバー部材３が存在する。また、カバー部材３は電線２の周囲に配置されているので、すなわちカバー部材３は電線２を内包するので、電線２も所定領域の周囲に存在する。
【００３９】
また、図１に示す本発明の導電装置１は、カバー部材３を支持する支持部材４を備える。ここで、図１に示すように、第１のカバー部材３は第１の支持部材４Ａに支持され、第２のカバー部材３は第２の支持部材４Ｂに支持されている。
また、支持部材４もゴム製であり、かつ、防水性を有する。
【００４０】
すなわち、第１の支持部材４Ａは、第１の連結体３ＡＢの下面に着脱可能に取付けられており、また、第２の支持部材４Ｂは、第２の連結体３ＢＢの下面に着脱可能に取付けられている。
【００４１】
また、第１の支持部材４Ａと第２の支持部材４Ｂの間隔は、メンテナンスを行い易くするために例えば約１ｍとする。
【００４２】
また、支持部材４は、支持部材４の位置情報を検出する位置情報検出部５と、位置情報検出部５が検出した支持部材４の位置情報を送信する位置情報送信部６とを有する。
【００４３】
すなわち、第１の支持部材４Ａは、第１の位置情報検出部５Ａと、第１の位置情報送信部６Ａとを有する。
また、第２の支持部材４Ｂは、第２の位置情報検出部５Ｂと、第２の位置情報送信部６Ｂとを有する。
【００４４】
また、位置情報検出部（第１の位置情報検出部５Ａおよび第２の位置情報検出部５Ｂ）５は、例えばＧＰＳ（Ｇｌｏｂａｌ  Ｐｏｓｉｔｉｏｎｉｎｇ  Ｓｙｓｔｅｍ＝全地球測位システム）を構成する複数のＧＰＳ衛星から提供される信号を受信して、支持部材（第１の支持部材４Ａおよび第２の支持部材４Ｂ）４の位置情報を検出する。
【００４５】
また、位置情報送信部（第１の位置情報送信部６Ａおよび第２の位置情報送信部６Ｂ）６は、支持部材（第１の支持部材４Ａおよび第２の支持部材４Ｂ）４の位置情報を、例えば携帯端末に送信する。
【００４６】
また、図１に示す本発明の導電装置１は、電線２に所定の電圧を印加し、かつ、電線２を介して位置情報検出部（第１の位置情報検出部５Ａおよび第２の位置情報検出部５Ｂ）５および位置情報送信部（第１の位置情報送信部６Ａおよび第２の位置情報送信部６Ｂ）６に所定の電圧を印加する電源部７を備える。
【００４７】
すなわち、第１の位置情報検出部５Ａおよび第１の位置情報送信部６Ａは、接続線８を介して電線２と電気的に接続している。
また、第２の位置情報検出部５Ｂおよび第２の位置情報送信部６Ｂも、接続線８を介して電線２と電気的に接続している。
【００４８】
また、第１の位置情報検出部５Ａと第１の位置情報送信部６Ａも互いに接続線８を介して電気的に接続している。
また、第２の位置情報検出部５Ｂと第２の位置情報送信部６Ｂも互いに接続線８を介して電気的に接続している。
【００４９】
また、電源部としては、導電部材や、導電部材を介して位置情報検出部や位置情報送信部に電圧を印加することができれば、どのようなものでもよい。このような電源部は、具体的には例えば、太陽光発電設備、風力発電設備、水力発電設備、地熱発電設備、蓄電池（バッテリー）、燃料電池、またはこれらを組み合わせたものである。
【００５０】
ここで、本発明の導電装置が、所定の電圧が印加される導電部材と、導電部材の周囲に配置され、かつ、所定の圧力以上の圧力が付与された場合に導電部材と外部とが連通されるカバー部材とを備えるのであれば、必ずしも支持部材は、位置情報を検出する位置情報検出部と、位置情報検出部が検出した位置情報を送信する位置情報送信部とを有していなくてもよい。
【００５１】
しかし、支持部材が、位置情報検出部と位置情報送信部とを有していれば、支持部材の位置情報を知ることができるので好ましい。
【００５２】
また、必ずしも支持部材は、着脱可能にカバー部材に取付けられていなくてもよい。しかし、支持部材が着脱可能にカバー部材に取付けられていれば、衝撃を受けたときにカバー部材から外れやすくなり、好ましい。
【００５３】
なぜなら、支持部材がカバー部材から外れると、位置情報検出部や位置情報送信部に導電部材を介して電圧が印加されなくなって位置情報が携帯端末などに送信されなくなり、外れた支持部材の位置が判明しやすくなるからである。
【００５４】
また、必ずしもカバー部材は、ゴム製でなくてもよい。しかし、ゴムは絶縁性を有するので、カバー部材の表面に触れただけでは電気ショックを受けることはなく、好ましい。
【００５５】
また、図１に示した本発明の導電装置１は、カバー部材３が一段構成であるが、複数段構成にしてもよいことは勿論である。
すなわち、例えば、図１に示した構成と同様の構成の、カバー部材に取付けられた支持部材を、図１に示したカバー部材の連結体の上面に取付けて複数段構成にしてもよい。
【００５６】
次に、本発明の導電装置の使用例について図面を参照しながら説明する。
図２は、本発明を適用した導電装置の設置の一例を示す概略図である。また、図３は、本発明を適用した導電装置にイノシシが近づいた様子の一例を示す概略図である。また、図４は、本発明を適用した導電装置にイノシシが噛みついた状態の一例を示す概略図である。
【００５７】
図２に示すように、本発明の導電装置１は、山林１０と人里１１との境界に設置された柵９に沿って配置される。ここで、本発明の導電装置１は、人里１１側に配置されている。柵９で囲まれた人里１１という限られた領域においてイノシシを確実に捕獲するためである。
【００５８】
また、図２に示すように人里１１には、畑１２や、果樹園１３や、家屋１４が存在する。
また、柵９は、イノシシが飛び越えることができないほどの高さを有する。
【００５９】
また、図３に示すように、本発明の導電装置１は、イノシシ１６の鼻の位置にカバー部材３が位置するよう配置される。
【００６０】
人里１１の畑１２や果樹園１３の農作物を食べるために人里１１に侵入したイノシシ１６は、人里１１から山林１０へと戻る際に、図３に示すように、柵９に沿って配置された本発明の導電装置１に近づいてくる。
【００６１】
そして、イノシシ１６は、図３に示す予想穴１５のように柵９の下へと続く斜めの穴を掘ろうとする。
このとき、本発明の導電装置１が、イノシシ１６にとって邪魔となる。
【００６２】
次にイノシシ１６は、嗅覚などで本発明の導電装置１を確かめるために、鼻を本発明の導電装置１に接触させる。
ここで、本発明の導電装置１のカバー部材３や支持部材４はゴム製であり、また、鼻を接触させた程度の圧力がカバー部材３に付与されても電線２と外部とは連通されないので、この時点でイノシシ１６は電気ショックを受けない。
【００６３】
そして、イノシシ１６は、電気ショックを受けないということが判ると、カバー部材３に噛みつくなどして暴れ、本発明の導電装置１を破壊しようとする。
【００６４】
すると、カバー部材３は、所定の圧力すなわちイノシシ１６などの動物が噛んだときに歯が与える圧力以上の圧力が付与された場合に電線２と外部とが連通されるので、イノシシ１６の歯が電線２に接触して、イノシシ１６は電気ショックを受ける。
【００６５】
このときイノシシ１６は、口から電気ショックを受けるので脳も電気ショックの影響を受ける。従って、イノシシ１６は強い電気ショックを受けて倒れる。
【００６６】
またこのとき、イノシシ１６が暴れたことでカバー部材３から支持部材４が抜け落ちる（図４参照。）。
すなわち、接続線８が断線し、位置情報検出部５および位置情報送信部６は、電線２と電気的に接続していない状態となる。
【００６７】
従って、電線２を介して位置情報検出部５および位置情報送信部６に電圧が供給されなくなるので、位置情報検出部５が検出した位置情報が送信されなくなる。
位置情報が送信されなくなった支持部材４が、抜け落ちた支持部材４であるから、抜け落ちた支持部材４の場所が判る。
【００６８】
また、強い電気ショックを受けたイノシシ１６も、抜け落ちた支持部材４の付近に倒れているので、イノシシ１６を容易に見つけ出すことができ、イノシシ１６の捕獲が容易となる。
【００６９】
また、本発明の導電装置１に沿った柵９は、通常の柵でもよいし、本発明者が発明したものである、特開２０１１−０８７４９５号公報に記載された動物侵入防護柵でもよい。
【００７０】
以上のように、本発明の導電装置は、導電部材の周囲に配置され、かつ、所定の圧力以上の圧力が付与された場合に導電部材と外部とが連通されるカバー部材によって、外部から所定の圧力以上の圧力を付与したもの例えばイノシシの歯を、導電部材に接触させることができる。
【００７１】
従って、イノシシは口から電気ショックを受けるので脳も電気ショックの影響を受け、本発明の導電装置は、動物に強い電気ショックを与えることができる。
【００７２】
また、カバー部材同士が着脱可能に連結されているので、本発明の導電装置の設置範囲を自由に変えることができる。
【符号の説明】
【００７３】
１      導電装置
２      電線
３      カバー部材
３Ａ    第１のカバー部材
３ＡＡ  第１の本体
３ＡＢ  第１の連結体
３Ｂ    第２のカバー部材
３ＢＡ  第２の本体
３ＢＢ  第２の連結体
４      支持部材
４Ａ    第１の支持部材
４Ｂ    第２の支持部材
５      位置情報検出部
５Ａ    第１の位置情報検出部
５Ｂ    第２の位置情報検出部
６      位置情報送信部
６Ａ    第１の位置情報送信部
６Ｂ    第２の位置情報送信部
７      電源部
８      接続線
９      柵
１０      山林
１１      人里
１２      畑
１３      果樹園
１４      家屋
１５      予想穴
１６      イノシシ
ＮＡ      第ｎの本体
【図１】
2014171433.tif 000003
【図２】
2014171433.tif 000004
【図３】
2014171433.tif 000005
【図４】
2014171433.tif 000006
【図５】
2014171433.tif 000007